(57)【要約】【課題】スプリング線を簡単な構造として安価に多量生産しながら、ひとつのコイルスプリング部で傾動体を弾性的に傾動させる。【解決手段】充電装置は、傾動体４にスプリング線３を連結して、傾動できるようにケース１内に配設している。スプリング線３はコイルスプリング部３Ｘを有し、このコイルスプリング部３Ｘは、中心軸を弾性変形させる第１弾性変形部３Ｂと、巻き方向に弾性変形させる第２弾性変位部３Ｃとを軸方向に離して設けている。スプリング線３は、第１弾性変形部３Ｂの一端をケース１に固定し、第２弾性変位部３Ｃに傾動体４のコイル用軸９を挿通し、第２弾性変位部３Ｃの端部に出力端子部３Ａを設けている。充電装置は、携帯機器２５が装着されると、第１弾性変形部３Ｂが弾性変形して出力端子部３Ａをケース１外に突出させると共に、第２弾性変位部３Ｃの弾性で、出力端子部３Ａを携帯機器２５の電源端子２６に弾性的に押圧する。【選択図】図１０
2006217738.tif 000002
【特許請求の範囲】
【請求項１】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されるコイル用軸(9)を有すると共に、ケース(1)内に傾動できるように配設され、かつ装着部(2)に装着される携帯機器(25)に押される突出部(7)を有する傾動体(4)とを備えており、
スプリング線(3)はコイルスプリング部(3X)を有し、このコイルスプリング部(3X)は、中心軸を弾性変形させる第１弾性変形部(3B)と、コイルスプリング部(3X)を巻き方向に弾性変形させる第２弾性変位部(3C)とを軸方向に離して設けており、
さらに、スプリング線(3)は、第１弾性変形部(3B)の一端をケース(1)に固定すると共に、第２弾性変位部(3C)に傾動体(4)のコイル用軸(9)を相対運動できるように挿通し、第２弾性変位部(3C)の端部には出力端子部(3A)を設けて、
第１弾性変形部(3B)の弾性で傾動体(4)を弾性的に傾動させて、突出部(7)をケース(1)外に弾性的に突出させ、さらに、第２弾性変位部(3C)の弾性で出力端子部(3A)を電源端子(26)に押圧し、
装着部(2)に携帯機器(25)を装着しない状態では、スプリング線(3)の弾性でもって、突出部(7)を装着部(2)に突出させて、傾動体(4)が出力端子部(3A)をケース(1)内の引き込み位置とし、
装着部(2)に携帯機器(25)が装着されて、突出部(7)が押されると、スプリング線(3)の第１弾性変形部(3B)が弾性変形して出力端子部(3A)をケース(1)外に突出させると共に、第２弾性変位部(3C)の弾性で、出力端子部(3A)を携帯機器(25)の電源端子(26)に弾性的に押圧するようにしてなる充電装置。
【請求項２】
スプリング線(3)のコイルスプリング部(3X)が、円筒状又は円錐状である請求項１に記載される充電装置。
【請求項３】
ケース(1)内の定位置に回路基板(13)を固定しており、この回路基板(13)にスプリング線(3)の一端を固定して電気接続している請求項１に記載される充電装置。
【請求項４】
第２弾性変位部(3C)の複数巻きにコイル用軸(9)を挿通している請求項１に記載される充電装置。
【請求項５】
コイルスプリング部(3X)が、突出部(7)をケース(1)外に突出させる状態で直線状となり、突出部(7)が携帯機器(25)に押される状態で弾性変形される請求項１に記載される充電装置。
【発明の詳細な説明】
【技術分野】
【０００１】
本発明は、二次電池を内蔵する携帯機器を装着して、内蔵している二次電池を充電する充電装置に関する。
【背景技術】
【０００２】
充電装置は、装着される携帯機器の電源端子に接触される正負の接触端子を備えている。正負の接触端子に金属が接触してショートすると、大きなショート電流が流れる。また、正負の接触端子の電圧が高い場合には、濡れた手で接触すると感電する可能性もある。また、電圧が低い場合でも、長時間接触すると低温やけどを被るおそれがある。この弊害を解消するために、携帯機器を装着しない状態では、接触端子をケース内に収納する充電装置が開発されている（特許文献１参照）。
【特許文献１】特開２００３−９４０９号公報
【発明の開示】
【発明が解決しようとする課題】
【０００３】
この公報に記載される充電装置を図１ないし図５に示す。この充電装置は、携帯機器４０を嵌合して装着する凹状の装着部３２を有するケース３１と、装着部３２に携帯機器４０が装着されたことを検知する装着検知部３０と、携帯機器４０が装着部３２に装着されたとき、携帯機器４０に設けられた電源端子４１と接触し、携帯機器４０に内蔵される二次電池に充電電圧を印加するための一対の出力端子部３３Ａを備える。出力端子部３３Ａは、ケース３１内に配設されて、ケース３１に設けられた端子窓３５から装着部３２に出没可能に設けられている。装着検知部３０は、ケース３１内に軸支され、一端の突出部３７が装着部３２の底面に設けられた貫通孔３６を貫通して突出する傾動体３４と、傾動体３４の突出部３７を突出方向に付勢するスプリング線３３とを備える。携帯機器４０が装着され、傾動体３４の一端がスプリング線３３の付勢力に抗して押し下げられたとき、傾動体３４の回転に連動して出力端子部３３Ａを端子窓３５から装着部３２に押し出して、携帯機器４０の電源端子４１と接触させる。
【０００４】
この構造の電源装置は、装着部に携帯機器をセットしないときに、出力端子部をケース内に配置できる。このため、携帯機器を充電しないときに、出力端子部がケース外に突出して感電する弊害を防止できる。また、出力端子部の汚れも防止できる。しかしながら、この構造の充電装置は、傾動体を弾性的に傾動させるスプリングと、出力端子部を弾性的に携帯機器の電源端子に押圧するスプリングとからなる２種類のスプリングを必要とする。図の電源装置は、このことを実現するために、１本の弾性線にふたつのコイルスプリング部を設けている。この構造のスプリング線は、製造が難しく、製造コストが高くなる。
【０００５】
本発明は、この欠点を解消することを目的に開発されたものである。本発明の重要な目的は、スプリング線を極めて簡単な構造として、これを安価に多量生産でき、さらに、組み立てを簡単にしながら、ひとつのコイルスプリング部でもって、傾動体を弾性的に傾動させ、さらに出力端子部を電源端子に弾性的に押圧できる充電装置を提供することにある。
【課題を解決するための手段】
【０００６】
本発明の充電装置は、前述の目的を達成するために以下の構成を備える。
充電装置は、電池を内蔵する携帯機器２５を脱着できるように装着する装着部２を有するケース１と、このケース１内に設けられて、装着部２にセットされる携帯機器２５の電源端子２６に接触される出力端子部３Ａを有するスプリング線３と、このスプリング線３に連結されるコイル用軸９を有すると共に、ケース１内に傾動できるように配設され、かつ装着部２に装着される携帯機器２５に押される突出部７を有する傾動体４とを備えている。スプリング線３は、コイルスプリング部３Ｘを有し、このコイルスプリング部３Ｘは、中心軸を弾性変形させる第１弾性変形部３Ｂと、コイルスプリング部３Ｘを巻き方向に弾性変形させる第２弾性変位部３Ｃとを軸方向に離して設けている。さらに、スプリング線３は、第１弾性変形部３Ｂの一端をケース１に固定すると共に、第２弾性変位部３Ｃに傾動体４のコイル用軸９を相対運動できるように挿通し、第２弾性変位部３Ｃの端部には出力端子部３Ａを設けている。スプリング線３は、第１弾性変形部３Ｂの弾性で傾動体４を弾性的に傾動させて、突出部７をケース１外に弾性的に突出させ、さらに、第２弾性変位部３Ｃの弾性で出力端子部３Ａを電源端子２６に押圧する。さらに、スプリング線３は、装着部２に携帯機器２５を装着しない状態では、スプリング線３の弾性でもって、突出部７を装着部２に突出させて、傾動体４が出力端子部３Ａをケース１内の引き込み位置としている。充電装置は、装着部２に携帯機器２５が装着されて、突出部７が押されると、スプリング線３の第１弾性変形部３Ｂが弾性変形して出力端子部３Ａをケース１外に突出させると共に、第２弾性変位部３Ｃの弾性で、出力端子部３Ａを携帯機器２５の電源端子２６に弾性的に押圧する。
【０００７】
本発明の充電装置は、スプリング線３のコイルスプリング部３Ｘを、円筒状又は円錐状とすることができる。
【０００８】
本発明の充電装置は、ケース１内の定位置に回路基板１３を固定して、この回路基板１３にスプリング線３の一端を固定して電気接続することができる。
【０００９】
本発明の充電装置は、第２弾性変位部３Ｃの複数巻きにコイル用軸９を挿通することができる。
【００１０】
本発明の充電装置は、コイルスプリング部３Ｘを、突出部７をケース１外に突出させる状態で直線状となり、突出部７が携帯機器２５に押される状態で弾性変形されるようにすることができる。
【発明の効果】
【００１１】
本発明の充電装置は、スプリング線を極めて簡単な構造として、安価に多量生産でき、さらに、組み立ても簡単としながら、ひとつのコイルスプリング部で、傾動体を弾性的に傾動させ、さらに出力端子部を電源端子に弾性的に押圧できる特徴がある。それは、本発明の充電装置が、傾動体にコイル用軸を設けると共に、スプリング線のコイルスプリング部に、コイルスプリング部の中心線が変形するように弾性変形させる第１弾性変形部と、コイルスプリング部の巻き方向に弾性変形させる第２弾性変位部を設けて、第２弾性変位部に傾動体のコイル用軸を挿通し、第１弾性変形部で傾動体を弾性的に傾動させて、第２弾性変位部で出力端子部を携帯機器の電源端子に弾性的に押圧するからである。
【発明を実施するための最良の形態】
【００１２】
以下、本発明の実施例を図面に基づいて説明する。ただし、以下に示す実施例は、本発明の技術思想を具体化するための充電装置を例示するものであって、本発明は充電装置を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図６ないし図１４に示す充電装置は、携帯機器２５を脱着できるように装着して、携帯機器２５に内蔵している二次電池を充電する。携帯機器２５は、携帯電話である。ただ、本発明は、内蔵する二次電池を充電する携帯機器を特定するものでなく、たとえば、ＭＤやＣＤの再生または録音再生機、デジタル携帯機器、ゲーム機等、二次電池を内蔵している全ての携帯機器とすることができる。
【００１５】
充電装置は、携帯機器２５を脱着できるように装着する装着部２を有するケース１と、このケース１内に設けられて、装着部２にセットされる携帯機器２５の電源端子２６に接触される出力端子部３Ａを有するスプリング線３と、スプリング線３に連結されて、ケース１内に傾動できるように配設している傾動体４とを備えている。
【００１６】
さらに、充電装置は、ケース１に充電回路（図示せず）を内蔵している。ただし、本発明の充電装置は、ケースに必ずしも充電回路を設ける必要はない。外部に設けている充電回路にリード線を介して接続することもできるからである。充電回路を内蔵しない充電装置は、充電台として使用される。
【００１７】
図に示す充電装置は、ケース１の上面に装着部２を設けている。装着部２は、ケース１の上面に設けた凹部である。携帯機器２５は、凹部の装着部２に嵌着されて定位置にセットされる。図のケース１は、携帯機器２５を定位置に装着するために、装着部２の一端部に係止凸部２１を、他端部に弾性係止フック２２を設けている。携帯機器２５は、両端部に、係止凸部２１と弾性係止フック２２を係止する係止凹部（図示せず）を設けている。この構造は、携帯機器２５を装着部２の定位置に係止できる。ただし、充電装置は、携帯機器を、自重で凹部の装着部に装着することもできる。
【００１８】
ケース１は、下方を開口している上ケース１Ａと、この上ケース１Ａの下方開口部を閉塞している下ケース１Ｂとからなる。上ケース１Ａと下ケース１Ｂは、プラスチックを成形して製作される。上ケース１Ａの上面に凹部を設けて装着部２としている。上ケース１Ａは、内蔵しているスプリング線３の出力端子部３Ａを外部に突出させる端子窓５と、傾動体４の突出部７を装着部２に突出させる貫通孔６を開口している。図６、図８及び図１３に示すケース１は、装着部２の壁面に端子窓５を、底面に貫通孔６を設けている。ただ、充電装置は、ケースに設けた装着部の底面に端子窓と貫通孔を設けることもできる。
【００１９】
図６ないし図１４の充電装置は、携帯機器２５（図１４に概略形状を示す）の端面に設けている電源端子２６に出力端子部３Ａを接触させる。携帯機器は、機種によって種々の位置に電源端子を配置している。出力端子部３Ａは、電源端子２６に接触させる位置に配置される。端子窓５は、出力端子部３Ａを装着部２に突出させる位置に配置される。端子窓５は、装着部２に装着される携帯機器２５の電源端子２６の位置に開口される。
【００２０】
図に示す上ケース１Ａは、ふたつの端子窓５と、ふたつの貫通孔６を開口している。ふたつの端子窓５は、正負の出力端子部３Ａを装着部２に突出させる。また、ふたつの貫通孔６は、傾動体４に設けているふたつの突出部７を突出させる。
【００２１】
さらに、ケース１は、内蔵している傾動体４を傾動できる状態で連結するために、傾動体４の傾動軸８を回転できるように支持する支持部１１を一体的に成形して設けている。支持部１１は、上ケース１Ａの内面に下方に突出して設けられた支持リブである。支持リブは、その先端に、傾動体４の傾動軸８を回転できるように案内する半円形の凹部を設けている。傾動体４は、図１０の斜視図と図１１の一部断面平面図に示すように、その両側に傾動軸８を設けている。両側の傾動軸８は直線上に配置されている。両側の傾動軸８を支持するために、支持リブは傾動体４の両側に配設されて、傾動体４の両側に設けている傾動軸８を回転できるように支持する。支持リブの凹部に案内された傾動軸８は、下ケース１Ｂで抜けないように支持される。この下ケース１Ｂは、支持リブ先端の凹部に案内される傾動軸８の下方に位置する抜け留め１２を一体的に成形している。この構造のケース１は、傾動体４の傾動軸８を支持リブの凹部に案内する状態で、上ケース１Ａの開口部に下ケース１Ｂを連結して、傾動体４を回転できるようにケース１に連結できる。
【００２２】
以上の実施例では、傾動体４の傾動軸８を、ケース１に一体的に成形している部材で回転できるように支持するが、本発明は、傾動体の傾動軸を回転できるようにケースに連結する構造を以上の構造には特定しない。傾動軸を回転できるようにケースに連結できる全ての構造、たとえば、ケースに傾動軸を支持する孔や凹部を設け、ここに傾動軸を案内して傾動体を傾動できるように連結できる。
【００２３】
スプリング線３は、導電性と弾性のある金属線である。スプリング線３は、ばね用リン青銅の線材等の弾性金属線の表面を金メッキしたものが最適である。携帯機器２５の電源端子２６に対する接触不良を少なくできるからである。
【００２４】
スプリング線３はコイルスプリング部３Ｘを有し、このコイルスプリング部３Ｘは、中心軸を弾性変形させる第１弾性変形部３Ｂと、コイルスプリング部３Ｘを巻き方向に弾性変形させる第２弾性変位部３Ｃとを軸方向に離して設けている。図１０と図１１のスプリング線３は、第１弾性変形部３Ｂと第２弾性変位部３Ｃを円筒状としている。図１５のスプリング線３は、コイルスプリング部３Ｘを円錐状としている。円錐状のコイルスプリング部３Ｘは、第１弾性変形部３Ｂを円錐状として、第２弾性変位部３Ｃを円柱状とすることができる。
【００２５】
スプリング線３は、第１弾性変形部３Ｂの一端をケース１に固定して、第２弾性変位部３Ｃに傾動体４のコイル用軸９を挿通して、第２弾性変位部３Ｃの端部に出力端子部３Ａを設けている。この出力端子部３Ａは、携帯機器２５の正負の電源端子２６に接触されて、携帯機器２５に内蔵している電池を充電する。したがって、スプリング線３は正負の出力端子部３Ａを互いに絶縁して設けて、電源端子２６に接触させるために、２本のスプリング線３を互いに絶縁してケース１内に配設している。２本のスプリング線３は、図１０と図１１に示すように、傾動体４の両側に絶縁して配設される。
【００２６】
スプリング線３は、第１弾性変形部３Ｂから延在する一端をケース１に連結して固定している。図のスプリング線３は、ケース１に固定している回路基板１３を介してケース１に連結している。すなわち、ケース１に回路基板１３を固定し、この回路基板１３にスプリング線３を固定している。スプリング線３は、回路基板１３に半田付して固定している。さらに図のスプリング線３は、一端側において設けられた固定端３Ｅを凸部３ｅができるように折曲して、この凸部３ｅを回路基板１３に設けた連結孔に挿通して半田付して固定している。この構造は、スプリング線３を確実にしっかりと定位置に固定できる。回路基板１３は、ケース１に嵌着して定位置に固定され、あるいはケース１にネジ止あるいは接着して定位置に固定される。
【００２７】
スプリング線３は、固定端３Ｅと出力端子部３Ａとの間に、第１弾性変形部３Ｂと第２弾性変位部３Ｃを設けてコイルスプリング部３Ｘとしている。
【００２８】
図のスプリング線３は、一端側において固定端３Ｅとし、他端側において出力端子部３Ａを設けて、出力端子部３Ａと固定端３Ｅとの間を、第１弾性変形部３Ｂと第２弾性変位部３Ｃからなるコイルスプリング部３Ｘとしている。このスプリング線３は、１本の弾性金属線を、一端から他端に向かって順に、固定端３Ｅ、第１弾性変形部３Ｂ、第２弾性変位部３Ｃ、出力端子部３Ａ、さらに出力端子部３Ａの端部にストッパ部３ａを設けるように加工している。ストッパ部３ａは、傾動体４の裏面の端子連結部１０に係合して保持されて、出力端子部３Ａの突出位置を特定する。
【００２９】
スプリング線３は、図１６ないしと図２０に示すように、コイルスプリングである第１弾性変形部３Ｂの一端部を、接線方向に直線状に延長して固定部３Ｄとし、第２弾性変位部３Ｃの一端部を接続方向に引き延ばし、ケース１に設けた端子窓５から突出する形状に折曲加工して、出力端子部３Ａとしている。スプリング線３は、１本の線材をコイルスプリングに加工して、コイルスプリング部３Ｘとして、ここに第１弾性変形部３Ｂと第２弾性変位部３Ｃを設けている。ここで、コイルスプリング部３Ｘは、上述のように円柱あるいは円錐形状であるので、円柱あるいは円錐形状の中心軸が変形するような力が加わると、元の円柱あるいは円錐形状に戻ろうとする力（復元力）が働くことになる。
【００３０】
コイルスプリング部３Ｘにおいて、第１弾性変形部３Ｂは、コイルスプリング部３Ｘの中心線が変形するように弾性変形して傾動体４を付勢し、第２弾性変位部３Ｃは、コイルスプリング部３Ｘの巻き方向に弾性変形して、出力端子部３Ａを端子窓５から弾性的に突出させる。第１弾性変形部３Ｂが傾動体４を付勢する弾性と、第２弾性変位部３Ｃが出力端子部３Ａを端子窓５から突出させる弾性とは、最適値が異なる。１本の金属線からなるスプリング線は、第１弾性変形部３Ｂと第２弾性変位部３Ｃの弾性をコントロールする必要がある。
【００３１】
コイルスプリング部３Ｘは、コイルの巻き径、巻きピッチ、巻き回数、長さ等で弾性をコントロールできる。巻き径を小さく、ピッチを大きく、巻き回数を少なく、短くすると、硬くて変形し難くなる。反対に巻き径を大きく、ピッチを小さく、巻き回数を多く、長くすると、柔軟で変形しやすくなる。図１５のスプリング線３は、第１弾性変形部３Ｂのコイルスプリング部３Ｘを円錐状とし、巻き径を軸方向に変化させて弾性を調整している。図１０及び図１６ないし図２０のスプリング線３は、第１弾性変形部３Ｂと第２弾性変位部３Ｃの巻き径を同じとする直線状で円柱状のコイルスプリング部３Ｘである。このスプリング線は、第１弾性変形部３Ｂと第２弾性変位部３Ｃの弾性を、巻きピッチと巻き回数と長さで最適値に設定している。
【００３２】
第２弾性変位部３Ｃは、傾動体４に設けているコイル用軸９を挿通して、傾動体４に連結される。コイル用軸９は、第２弾性変位部３Ｃに相対運動できるように挿通される。このコイル用軸９は、コイルスプリングである第２弾性変位部３Ｃの内径よりも外径を小さくして、第２弾性変位部３Ｃのコイルスプリングを摺動させて相対運動できる状態としている。第２弾性変位部３Ｃは、傾動体４が傾動されて出力端子部３Ａを端子窓５から突出させる状態で、図１４の断面図に示すように、出力端子部３Ａを弾性的に携帯機器２５の電源端子２６に押圧する。
【００３３】
傾動体４は、全体をプラスチックで一体的に成形している。図１０ないし図１４の電源装置は、同じ形状の傾動体４をケース１に内蔵している。これ等の図に示す傾動体４は、図１２ないし図１４において、傾動軸８の右側に突出部７を、左側に接点連結アーム４Ｂを設けている。図１１の平面図に示す傾動体４は、図において傾動軸８の下側に押圧部４Ａを、上側に接点連結アーム４Ｂを設けている。傾動軸８は、押圧部４Ａと接点連結アーム４Ｂの境界にあって、両側に直線状に突出して設けられている。この傾動体４は、押圧部４Ａを押し下げて、出力端子部３Ａを突出させる方向に傾動される。
【００３４】
図１０と図１１の傾動体４は、両側に設けた傾動軸８に対して直交する方向に一対の接点連結アーム４Ｂを突出させて、接点連結アーム４Ｂの先端にスプリング線３の先端を連結する端子連結部１０を設けている。図の端子連結部１０は、スプリング線３の先端を外側に折曲している折曲片であるストッパ部３ａを案内する側面視略Ｖ字状の摺動溝である。スプリング線３は、折曲片であるストッパ部３ａを端子連結部１０の摺動溝に入れて、接点連結アーム４Ｂに連結している。スプリング線３は、出力端子部３Ａを携帯機器２５の電源端子２６で押すと、ストッパ部３ａが摺動溝を摺動して下方に移動して弾性変形する。また、ストッパ部３ａを接点連結アーム４Ｂの下面から離すように、すなわち端子連結部１０から離すようにして弾性変形することも可能である。
【００３５】
傾動体４は、接点連結アーム４Ｂの内側に、スプリング線３の第２弾性変位部３Ｃに挿入さるコイル用軸９を一体的に成形して設けている。コイル用軸９は、接点連結アーム４Ｂの中間、すなわち、端子連結部１０と傾動軸８との間に設けている。コイル用軸９は、傾動軸４と平行な姿勢で、各接点連結アーム４Ｂの内側に突出している。コイル用軸９を第２弾性変位部３Ｃに挿入して、傾動体４は、スプリング線３でもって、出力端子部３Ａをケース１内の引き込み位置とする方向に付勢されて傾動する。コイル用軸９は、第２弾性変位部３Ｃに挿入される長さ、すなわち、第２弾性変位部３Ｃの軸方向の長さに成形される。また、第２弾性変位部３Ｃのコイルスプリングは、コイル用軸９の表面を摺動して、コイルスプリング部３Ｘの巻き方向に弾性変形される。したがって、前述したように、コイル用軸９の外径は、コイルスプリングである第２弾性変位部３Ｃの内径よりも小さく成形している。
【００３６】
突出部７は、携帯機器２５に押されて、出力端子部３Ａをケース１から突出させる。突出部７は、ケース１に開口している貫通孔６から装着部２に突出している。傾動体４は、突出部７を押さない状態で、ケース１の貫通孔６から外部に突出部７を突出させる位置に配置される。傾動体４をこの位置に弾性的に押し出すのは、スプリング線３の第１弾性変形部３Ｂである。第１弾性変形部３Ｂは、突出部７が携帯機器２５で押されると、コイルスプリング部３Ｘの中心軸を、図１８に示すように変形させる。この状態に変形する第１弾性変形部３Ｂは、中心線を直線状に復元しようとする弾性で、突出部７をケース１外に突出させる方向に付勢する。
【００３７】
突出部７は、装着部２に携帯機器２５が装着されない状態で、傾動体４の突出部７及び押圧部４Ａを押し下げない。この状態において、傾動体４は、スプリング線３の第１弾性変形部３Ｂに付勢されて、図１２と図１３に示すように、出力端子部３Ａをケース１内の引き込み位置とする。装着部２に携帯機器２５が装着されて、突出部７が押されると、傾動体４の押圧部４Ａが押し下げられる。押圧部４Ａが押し下げられた傾動体４は、図１４に示すように、出力端子部３Ａがケース１外に押し出されるように傾動する。端子窓５からケース１外に押し出される出力端子部３Ａは、装着部２にセットされる携帯機器２５の電源端子２６に押圧されて電気接続される。この状態で、出力端子部３Ａが電源端子２６に押されるので、第２弾性変位部３Ｃは、ストッパ部３ａである折曲片が摺動溝を摺動するように変形して、出力端子部３Ａを電源端子２６に弾性的に押圧する。
【００３８】
充電装置は、一対の突出部７の間からケース１の中央部に回路基板１３を配置して、ケース１に固定している。この回路基板１３の一端部の両側にスプリング線３を半田付けして固定している。回路基板１３は、コネクタ２３を連結して固定している。このコネクタ２３をケース１に設けたコネクタ受け部２４に連結して、回路基板１３をケース１の定位置に配置して固定している。ただ、回路基板は、ネジ止してケースの定位置に固定することもできる。コネクタ２３は、端子（図示せず）をケース１の外部に表出させている。コネクタ２３は、リード線（図示せず）を介して、ケース１の外部に配置する充電用の電源に連結される。
【００３９】
以上の充電装置は、ケース１の装着部２に携帯機器２５が装着されると、装着部２に突出している突出部７が押し込まれる。すなわち、傾動体４が携帯機器２５で傾動される。この姿勢に傾動される傾動体４は、出力端子部３Ａを装着部２に突出させて、携帯機器２５の電源端子２６に接触させる。
【００４０】
装着部２に携帯機器２５が装着されない状態において、傾動体４の押圧部４Ａは突出部７を押し上げる。傾動体４がスプリング線３の第１弾性変形部３Ｂで付勢されているからである。この姿勢において、傾動体４は出力端子部３Ａをケース１内の引き込み位置とする。
【図面の簡単な説明】
【００４１】
【図１】従来の充電装置の斜視図である。
【図２】図１に示す充電装置の装着検知部の斜視図である。
【図３】図１に示す充電装置の垂直縦断面図である。
【図４】図３に示す充電装置に携帯機器を装着する状態を示す断面図である。
【図５】図３に示す充電装置に携帯機器を装着した状態を示す断面図である。
【図６】本発明の一実施例にかかる充電装置の平面図である。
【図７】図６に示す充電装置の右側面図である。
【図８】図６に示す充電装置の正面図である。
【図９】図６に示す充電装置の背面図である。
【図１０】図６に示す充電装置の上ケースを取り除いた状態を示す背面斜視図である。
【図１１】図６に示す充電装置の一部を切り欠いた平面図である。
【図１２】図６に示す充電装置の一部断面左側面図であって、図１１のＡ−Ａ線断面に相当する図である。
【図１３】図６に示す充電装置の一部断面左側面図であって、図１１のＢ−Ｂ線断面に相当する図である。
【図１４】図１３に示す充電装置に携帯機器を装着した状態を示す一部断面左側面図である。
【図１５】本発明の他の実施例にかかる充電装置の上ケースを取り除いた状態を示す斜視図である。
【図１６】図１１に示す充電装置の傾動片を示す平面図である。
【図１７】図１６に示す傾動片のＡ−Ａ線断面図である。
【図１８】図１７に示す傾動体が傾動する状態を示す図である。
【図１９】図１６に示すスプリング線の平面図である。
【図２０】図１９に示すスプリング線の左側面図である。
【符号の説明】
【００４２】
１…ケース              １Ａ…上ケース
１Ｂ…下ケース
２…装着部
３…スプリング線        ３Ａ…出力端子部          ３ａ…ストッパ部
３Ｂ…第１弾性変形部
３Ｃ…第２弾性変位部
３Ｄ…固定部
３Ｅ…固定端              ３ｅ…凸部
３Ｘ…コイルスプリング部
４…傾動体              ４Ａ…押圧部
４Ｂ…接点連結アーム
５…端子窓
６…貫通孔
７…突出部
８…傾動軸
９…コイル用軸
１０…端子連結部
１１…支持部
１２…抜け留め
１３…回路基板
２１…係止凸部
２２…弾性係止フック
２３…コネクタ
２４…コネクタ受け部
２５…携帯機器
２６…電源端子
３０…装着検知部
３１…ケース
３２…装着部
３３…スプリング線      ３３Ａ…出力端子部
３３Ｃ…接点用のコイル部
３３Ｅ…傾動用のコイル部
３４…傾動体
３５…端子窓
３６…貫通孔
３７…突出部
３８…傾動軸
３９…コイル用軸
４０…携帯機器
４１…電源端子
【図１】
2006217738.tif 000003
【図２】
2006217738.tif 000004
【図３】
2006217738.tif 000005
【図４】
2006217738.tif 000006
【図５】
2006217738.tif 000007
【図６】
2006217738.tif 000008
【図７】
2006217738.tif 000009
【図８】
2006217738.tif 000010
【図９】
2006217738.tif 000011
【図１０】
2006217738.tif 000012
【図１１】
2006217738.tif 000013
【図１２】
2006217738.tif 000014
【図１３】
2006217738.tif 000015
【図１４】
2006217738.tif 000016
【図１５】
2006217738.tif 000017
【図１６】
2006217738.tif 000018
【図１７】
2006217738.tif 000019
【図１８】
2006217738.tif 000020
【図１９】
2006217738.tif 000021
【図２０】
2006217738.tif 000022